(57)【要約】【課題】電線の挿入に必要な力を低減できる電線保持装置を提供する。【解決手段】電線保持装置３０は、内部に空間３２を有し、空間３２に通じる挿通孔３３が設けられた本体部３１と、空間３２に配置されて挿通孔３３に挿通された電線６０を挟持する挟持構造４１を有する端子部材４０とを備える。挿通孔３３の、本体部３１の内側の端部における開口３３ａの形状は、一方向に長い形状であり、挟持構造４１は、挿通孔３３に挿通された電線６０を一方向において挟持する。【選択図】図８Ｃ
2018081889.tif 000002
【特許請求の範囲】
【請求項１】
内部に空間を有し、前記空間に通じる挿通孔が設けられた本体部と、
前記空間に配置されて前記挿通孔に挿通された電線を挟持する挟持構造を有する端子部材とを備え、
前記挿通孔の、前記本体部の内側の端部における開口形状は、一方向に長い形状であり、
前記挟持構造は、前記挿通孔に挿通された電線を前記一方向において挟持する
電線保持装置。
【請求項２】
前記挿通孔の、前記本体部の外側の端部における開口形状は、前記一方向に長い形状である
請求項１に記載の電線保持装置。
【請求項３】
前記挿通孔の外側の端部における開口面積は、前記挿通孔の内側の端部における開口面積よりも大きい
請求項１または２に記載の電線保持装置。
【請求項４】
前記挿通孔の内側の端部における開口形状は、前記一方向に長い長円形である
請求項１〜３のいずれか１項に記載の電線保持装置。
【請求項５】
前記本体部は、基板上に電極及び発光素子が配置された発光装置の前記基板を押さえる押さえ面を有し、
前記挿通孔の孔軸は、前記押さえ面に平行な面と斜めに交差する
請求項１〜４のいずれか１項に記載の電線保持装置。
【請求項６】
前記端子部材は、前記電極を押圧する押圧片を有する
請求項５に記載の電線保持装置。
【請求項７】
前記本体部には、前記本体部を基台に取り付けるためのねじが挿通される貫通孔が設けられる
請求項６に記載の電線保持装置。
【請求項８】
前記一方向は、前記挿通孔の孔軸に直交する方向である
請求項１〜７のいずれか１項に記載の電線保持装置。
【請求項９】
基台と、
基板、並びに、前記基板上に配置された電極及び発光素子を有する発光装置であって、前記基台に載置された発光装置と、
電線保持装置とを備え、
前記電線保持装置は、
内部に空間を有し、前記空間に通じる挿通孔が設けられた本体部と、
前記空間に配置されて前記挿通孔に挿通された電線を挟持する挟持構造、及び、前記電極を押圧することにより、前記発光装置を前記基台に押し当てる押圧片を有する端子部材とを備え、
前記挿通孔の、前記本体部の内側の端部における開口形状は、一方向に長い形状であり、
前記挟持構造は、前記挿通孔に挿通された電線を前記一方向において挟持する
照明装置。
【発明の詳細な説明】
【技術分野】
【０００１】
本発明は、発光装置に電線を電気的に接続するための電線保持装置、及び、これを備える照明装置に関する。
【背景技術】
【０００２】
近年、ＬＥＤ（Ｌｉｇｈｔ  Ｅｍｉｔｔｉｎｇ  Ｄｉｏｄｅ）が発光素子として使用された照明装置が急速に普及している。このような照明装置は、例えば、基板と基板に配置された複数のＬＥＤとを有する発光装置が基台に取り付けられることで構成される。
【０００３】
また、発光装置などに電線を電気的に接続するための速結端子装置が知られている。特許文献１には、端子板と電線挿入孔が設けられた取付体とを備える速結端子装置が開示されている。
【先行技術文献】
【特許文献】
【０００４】
【特許文献１】特開平５−１１４４２４号公報
【発明の概要】
【発明が解決しようとする課題】
【０００５】
上記のような速結端子装置においては、電線が端子板（端子部材）によって電線挿入孔の内周面に押さえつけられることにより、電線の挿入に大きな力が必要となる場合がある。
【０００６】
本発明は、電線の挿入に必要な力を低減できる電線保持装置、及び、これを備える照明装置を提供する。
【課題を解決するための手段】
【０００７】
本発明の一態様に係る電線保持装置は、内部に空間を有し、前記空間に通じる挿通孔が設けられた本体部と、前記空間に配置されて前記挿通孔に挿通された電線を挟持する挟持構造を有する端子部材とを備え、前記挿通孔の、前記本体部の内側の端部における開口形状は、一方向に長い形状であり、前記挟持構造は、前記挿通孔に挿通された電線を前記一方向において挟持する。
【０００８】
本発明の一態様に係る照明装置は、基台と、基板、並びに、前記基板上に配置された電極及び発光素子を有する発光装置であって、前記基台に載置された発光装置と、電線保持装置とを備え、前記電線保持装置は、内部に空間を有し、前記空間に通じる挿通孔が設けられた本体部と、前記空間に配置されて前記挿通孔に挿通された電線を挟持する挟持構造、及び、前記電極を押圧することにより、前記発光装置を前記基台に押し当てる押圧片を有する端子部材とを備え、前記挿通孔の、前記本体部の内側の端部における開口形状は、一方向に長い形状であり、前記挟持構造は、前記挿通孔に挿通された電線を前記一方向において挟持する。
【発明の効果】
【０００９】
本発明の一態様に係る電線保持装置及び照明装置は、電線の挿入に必要な力を低減できる。
【図面の簡単な説明】
【００１０】
【図１】図１は、実施の形態に係る照明装置の外観斜視図である。
【図２】図２は、実施の形態に係る電線保持装置の上面図である。
【図３】図３は、実施の形態に係る電線保持装置の側面図である。
【図４】図４は、実施の形態に係る電線保持装置を図１のＩＶ−ＩＶ線に沿って切断した場合の断面図である。
【図５】図５は、端子部材の外観斜視図である。
【図６】図６は、本体部を孔軸の方向から見た図である。
【図７Ａ】図７Ａは、比較例に係る電線保持装置に電線が挿入される様子を示す第１の図である。
【図７Ｂ】図７Ｂは、比較例に係る電線保持装置に電線が挿入される様子を示す第２の図である。
【図７Ｃ】図７Ｃは、比較例に係る電線保持装置に電線が挿入される様子を示す第３の図である。
【図８Ａ】図８Ａは、実施の形態に係る電線保持装置に電線が挿入される様子を示す第１の図である。
【図８Ｂ】図８Ｂは、実施の形態に係る電線保持装置に電線が挿入される様子を示す第２の図である。
【図８Ｃ】図８Ｃは、実施の形態に係る電線保持装置に電線が挿入される様子を示す第３の図である。
【発明を実施するための形態】
【００１１】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１２】
また、各図は模式図であり、必ずしも厳密に図示されたものではない。また、各図において、実質的に同一の構成に対しては同一の符号を付し、重複する説明は省略または簡略化される場合がある。
【００１３】
また、以下の実施の形態で説明に用いられる図面においては座標軸が示される場合がある。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視形状とは、Ｚ軸方向から見た形状を意味する。
【００１４】
（実施の形態）
［照明装置の構成］
まず、実施の形態に係る照明装置の構成について説明する。図１は、実施の形態に係る照明装置の外観斜視図である。
【００１５】
図１に示されるように、実施の形態に係る照明装置１０は、例えば、天井に埋設される、いわゆるダウンライトとして用いられる照明装置である。照明装置１０を使用する際の姿勢に特に限定はないが、実施の形態では、照明装置１０は、発光装置２０が上向きの状態で図示されている。
【００１６】
図１に示されるように、照明装置１０は、具体的には、基台１２と、取り付け部材１４と、発光装置２０と、電線保持装置３０と、電線保持装置１３０とを備える。以下、照明装置を構成する各構成要素について説明する。
【００１７】
なお、照明装置１０は、図１に図示される構成要素の他に、発光装置２０を覆う透光性カバーなどの他の部材を備えてもよい。これら他の部材の図示及び説明は省略する。
【００１８】
［基台及び取り付け部材］
まず、基台１２及び取り付け部材１４について説明する。基台１２は、取り付け部材１４、発光装置２０、電線保持装置３０、及び電線保持装置１３０が載置される。照明装置１０のベースとなる部材である。基台１２は、例えば、扁平円柱状であるが、直方体状であってもよく、基台１２の形状及び大きさは特に限定されない。基台１２は、例えば、金属によって形成される。基台１２は、発光装置２０の熱を拡散させるヒートシンクとしても機能する。
【００１９】
基台１２は、取り付け部材１４、発光装置２０、電線保持装置３０、及び電線保持装置１３０が載置される載置面１３を有する。例えば、発光装置２０は、載置面１３に面接触して配置される。これにより、基台１２は、発光装置２０で発生する熱を効率よく放出することができる。
【００２０】
なお、実施の形態では、１つの基台１２に、１つの発光装置２０が配置されているが、発光装置２０の個数は限定されない。例えば、１つの基台１２に複数の発光装置２０が並んで配置されてもよい。
【００２１】
取り付け部材１４は、発光装置２０の枠体として機能する部材であり、電線保持装置３０とともに発光装置２０の取り付けに用いられる。取り付け部材１４は、例えば、樹脂によって形成される。なお、基台１２は、発光装置２０が配置される領域を囲む壁部を有してもよく、この場合、取り付け部材１４は省略されてもよい。
【００２２】
［発光装置］
次に、発光装置２０について説明する。発光装置２０は、照明装置１０の光源として機能する部材である。発光装置２０は、電線保持装置３０、電線保持装置１３０、及び、取り付け部材１４によって基台１２に固定される。具体的には、発光装置２０は、電線保持装置３０、電線保持装置１３０、及び、取り付け部材１４の各部品が、ねじ８０によって基台１２にねじ止めされることにより固定される。発光装置２０は、具体的には、基板２１と、発光部２２と、電極２４とを備える。
【００２３】
基板２１は、平面視形状が矩形の平板である。基板２１が、熱伝導性の高い材料によって形成されれば、発光装置２０の放熱性が向上される。基板２１は、例えば、アルミナからなるアルミナ基板により構成される。
【００２４】
なお、基板２１は、窒化アルミニウム等のアルミナ以外のセラミック材料によって形成されたセラミック基板であってもよい。基板２１は、アルミニウムもしくは銅などによって形成された金属基板、樹脂基板、または、金属と樹脂との積層構造を有するメタルベース基板等であってもよい。基板２１の主面２１ａ（上面）には、発光部２２及び電極２４が配置される。
【００２５】
発光部２２は、基板２１の主面２１ａにマトリクス状に配置された複数のＬＥＤチップ２３が封止部材によって一括して封止されることによって形成されている。このように、発光装置は、ＣＯＢ（Ｃｈｉｐ  Ｏｎ  Ｂｏａｒｄ）構造の発光装置である。
【００２６】
ＬＥＤチップ２３は、具体的には、例えば、中心波長が４４０ｎｍ〜４７０ｎｍの青色光を発光する青色ＬＥＤチップである。ＬＥＤチップ２３は、基板２１の主面２１ａにダイボンディング等によって実装される。封止部材は、ＬＥＤチップ２３を封止してＬＥＤチップ２３を保護するとともに、ＬＥＤチップ２３からの光を波長変換する蛍光体を含む樹脂である蛍光体含有樹脂である。封止部材は、より具体的には、ＹＡＧ（イットリウム・アルミニウム・ガーネット）系の黄色蛍光体粒子をシリコーン樹脂に分散させた蛍光体含有樹脂である。これにより、発光部２２（封止部材）からは、黄色蛍光体粒子によって波長変換された黄色光とＬＥＤチップ２３からの青色光とを含む白色光が放出される。
【００２７】
なお、発光部２２の平面視形状は、円形であるが、発光部２２の平面視形状は、矩形であってもよく、特に限定されない。また、封止部材による複数のＬＥＤチップ２３の封止の態様も特に限定されない。例えば、複数のＬＥＤチップ２３は、個別に封止されてもよいし、複数のＬＥＤチップ２３は、ライン状に封止されてもよい。また、ＬＥＤチップ２３からの光の波長変換の必要がない場合などにおいて、基板２１に配置された複数のＬＥＤチップ２３の一部が封止部材によって封止されていなくてもよい。
【００２８】
電極２４は、発光部２２が発光するための電力を受けるための金属膜である。電極２４は、配線パターン（図示せず）を介して発光部２２が有する複数のＬＥＤチップ２３に電気的に接続される。基板２１の主面２１ａには、正極に対応する電極２４と負極に対応する電極２４との２つの電極２４が配置され、２つの電極２４のうちの一方は、電線保持装置３０が備える端子部材４０と直接接触することによって端子部材４０と電気的に接続される。２つの電極２４のうちの他方は、電線保持装置１３０が備える端子部材１４０と直接接触することによって端子部材１４０と電気的に接続される。
【００２９】
［電線保持装置の本体部の構成］
次に、電線保持装置３０の構成について、図１に加えて図２〜図４を参照しながら説明する。図２は、電線保持装置３０の上面図である。図３は、電線保持装置３０の側面図である。図４は、電線保持装置３０を図１のＩＶ−ＩＶ線に沿って切断した場合の断面図である。なお、電線保持装置１３０は、形状などが電線保持装置３０と異なるが、電線保持装置３０と実質的に同一の機能を有する部品であるため、詳細な説明が省略される。
【００３０】
図１〜図４に示される電線保持装置３０は、挿通孔３３に差し込まれた電線を保持し、かつ、当該電線と発光装置２０とを電気的に接続する速結端子装置である。電線保持装置３０は、本体部３１と、端子部材４０とを備える。まず、本体部３１について説明する。
【００３１】
本体部３１は、内部に空間３２を有し、空間３２に通じる挿通孔３３が設けられた部材である。本体部３１は、例えば、ＰＢＴ（ポリブチレンテレフタレート）などの絶縁性を有する樹脂によって形成される。本体部３１の内部の空間３２には、端子部材４０の少なくとも一部が収容される。空間３２は、言い換えれば、本体部３１に設けられた凹部であって、下方から上方に向かって凹んだ凹部によって形成され、当該凹部は、基台１２の載置面１３によって塞がれる。本体部３１の形状及び大きさは、特に限定されない。
【００３２】
挿通孔３３は、載置面１３と斜めに交差する孔軸５０（仮想的な軸）を有する貫通孔であり、電線が挿入される。つまり、挿通孔３３には、電線が載置面１３に対して斜めに挿入される。これにより、挿通孔３３への電線の挿入の作業性が向上される。
【００３３】
挿通孔３３の、本体部３１の外側の開口３３ｂの面積（開口面積）は、挿通孔３３の本体部３１の内側の開口３３ａの面積（開口面積）よりも大きい。また、挿通孔３３の内周面（挿通孔３３を形成する本体部３１の面）の一部は、本体部３１の外側から内側に向かうにつれて縮径するテーパ状に形成されている。これにより、電線挿入の作業性が向上される。
【００３４】
なお、挿通孔３３に挿入される電線は、例えば、天井の裏側に配置された点灯装置と接続されており、例えば基台１２に設けられた孔（図示せず）、または、天井の基台１２の埋設位置の近傍の孔を介して、基台１２の載置面１３側に引き出されている。点灯装置は、例えば、電力系統から供給される交流電力を、発光装置２０の発光に適した直流電力に変換する。
【００３５】
また、本体部３１には、本体部３１を基台１２の載置面１３に取り付けるためのねじ８０が挿通される貫通孔３４が設けられている。基台１２の載置面１３には、ねじ８０がねじ入れられるねじ穴（図示せず）が設けられている。
【００３６】
また、本体部３１には、第１押し当て部３５と、第２押し当て部３６とが設けられる。第１押し当て部３５の下面は、押さえ面３６ａであり、第２押し当て部３６の下面は、押さえ面３６ｂである。押さえ面３６ａ及び押さえ面３５ｂは、いずれも平面である。
【００３７】
電線保持装置３０が貫通孔３４に挿通されたねじ８０によって載置面の所定位置に配置されると、第１押し当て部３５及び第２押し当て部３６は、発光装置２０の端部に上方から重なる。ねじ８０が締められて電線保持装置３０が固定されると、発光装置２０は、第１押し当て部３５の押さえ面３５ａ及び第２押し当て部３６の押さえ面３６ａによって基台１２に押し当てられる。このように、本体部３１は、発光装置２０の基板２１を押さえる押さえ面３６ａ及び押さえ面３５ａを有する。なお、挿通孔３３の孔軸５０は、押さえ面３５ａまたは押さえ面３６ａと平行な仮想的な平面と斜めに交差する。
【００３８】
［電線保持装置の端子部材の構成］
次に、端子部材４０について主として図４及び図５を参照しながら説明する。図５は、端子部材４０の外観斜視図である。
【００３９】
端子部材４０は、いわゆる速結端子であって、挟持構造４１と、端子本体部４４と、押圧片４５とを有する。端子部材４０は、銅などの金属によって形成され、導電性を有する。端子部材４０の各部位は、一つの板状の金属に対して、屈曲加工、折り曲げ加工、及び、切り起こし加工等が施されることによって形成される。
【００４０】
挟持構造４１は、本体部３１内の空間３２に配置されて挿通孔３３に挿通された電線を挟持する。挟持構造４１は、少なくとも一部が空間３２の孔軸５０（図４に図示）上に配置され、挿通孔３３に挿通された電線を挟持する。挟持構造４１は、具体的には、ベース片４２と、可動片４３とを有する。
【００４１】
ベース片４２は、端子部材４０のうち、空間３２の内壁に沿って配置され、当該内壁に沿って折れ曲がった部位である。ベース片４２は、可動片４３が切り起こされることにより、矩形の枠体状に形成されている。ベース片４２は、端子本体部４４のＸ軸＋側の端部に接続されている。
【００４２】
可動片４３は、例えば、ベース片４２から切り起こされることにより形成される略矩形板状の部位である。可動片４３は、電線の端部によって本体部３１の外側から内側に向かって（孔軸５０に沿って）押されることにより、ベース片４２に対して動く。この結果、ベース片４２と可動片４３との隙間が開き、当該隙間に電線の端部が入り込む。そうすると、可動片４３が弾性によって電線に押される前の位置に戻ろうとするため、電線の端部は、ベース片４２と可動片４３との隙間に挟持される。
【００４３】
なお、可動片４３は、断面Ｖ字状に凹んだガイド部４３ａを有する。可動片４３は、ガイド部４３ａにおいて、電線の端部をガイドする。
【００４４】
端子本体部４４は、空間３２の外部であって、基台１２と本体部３１との間に配置される。端子本体部４４には、開口４４ａが設けられ、当該開口４４ａには本体部３１の凸部３７（図４に図示）が挿入される。これにより、端子部材４０は、本体部３１に取り付けられる。
【００４５】
押圧片４５は、端子部材４０のうちアーチ状に湾曲した板状の部分であり、端子本体部４４のＹ軸＋側の端部に接続されている。押圧片４５は、本体部３１の外部であって、貫通孔３４の近傍に配置される。押圧片４５の一方の端部は、端子本体部４４のＹ軸＋側の端部に接続され、押圧片４５の他方の端部には、下方（基台１２）に向かって凹んだ凹部である接点部４５ａが設けられる。押圧片４５は、接点部４５ａにおいて電極２４に接触する。
【００４６】
電線保持装置３０が基台１２に取り付けられると、押圧片４５は、電極２４を上方から押圧することにより、発光装置２０を基台１２の載置面１３に押し当てる。このとき、電線保持装置３０のように、押圧片４５が貫通孔３４の近傍に設けられれば、押圧片４５と電極２４との接触を維持しやすい効果が得られる。なお、発光装置２０の基台１２への押し当ては、第１押し当て部３５、第２押し当て部３６、及び押圧片４５のうち１以上の部位により行われればよい。
【００４７】
また、端子部材４０は、導電性を有するため、押圧片４５が電極２４に接触することにより、挟持構造４１によって挟持された電線と、発光装置２０とが電気的に接続される。このように、電線保持装置３０は、発光装置２０を基台１２に固定するとともに、電線を通じて得られる電力を、端子部材４０を介して発光装置２０に供給することができる。
【００４８】
［挿通孔の開口の形状］
次に、挿通孔３３の開口３３ａの形状について説明する。図６は、本体部３１を孔軸５０の方向から見た図である。
【００４９】
図６に示されるように、孔軸５０に垂直な方向から見た場合、本体部３１の内側の端部における開口３３ａの形状は、一方向（所定方向）に長い形状である。一方向は、例えば、孔軸５０にほぼ垂直な平面に沿う方向である。つまり、一方向は、挿通孔３３の孔軸５０にほぼ直交する方向である。開口３３ａの形状は、具体的には、長円形（楕円形）であるが、長方形またはレーストラック形状など、一方向に長い形状であればよい。
【００５０】
このように一方向に長い開口３３ａによって得られる効果について、比較例に係る電線保持装置を参照しながら説明する。図７Ａ〜図７Ｃは、比較例に係る電線保持装置に電線が挿入される様子を示す図である。図８Ａ〜図８Ｃは、電線保持装置３０に電線が挿入される様子を示す図である。なお、比較例に係る電線保持装置２３０は、電線保持装置３０と挿通孔２３３の形状が異なる。具体的には、本体部２３１の内側の端部における開口２３３ａの形状が、長円形ではなく円形である。その他の構造については、電線保持装置３０とほぼ同様である。また、図７Ａ〜図７Ｃ及び図８Ａ〜図８Ｃにおいて、電線６０の端部は、被覆部６１が取り除かれて芯線６２が露出している。
【００５１】
図７Ａ〜図７Ｃに示されるように、比較例に係る電線保持装置２３０に電線６０の端部の芯線６２が挿入されると、挟持構造４１は、芯線６２に押されて動く。このとき、芯線６２は、可動片４３を直接的に押すため、可動片４３に加わる力のほうがベース片４２に加わる力よりも大きい。したがって、可動片４３のベース片４２に対する相対的な位置が動くため、ベース片４２と可動片４３との間に隙間があく。つまり、挿通孔２３３の孔軸の方向から見た場合、挟持構造４１における芯線６２（電線６０）を挟持するための隙間は、電線６０が挿入されることによって一方向に開き、芯線６２はこの隙間に入り込む。可動片４３は、弾性によって芯線６２に押される前の位置に戻ろうとするため、芯線６２は、ベース片４２と可動片４３との隙間に挟持される。
【００５２】
そうすると、図７Ｃに示されるように、挟持構造４１は、芯線６２を上記一方向において挟持する。言い換えれば、ベース片４２、芯線６２、及び、可動片４３は、一方向において並び、芯線６２は、一方向において、ベース片４２及び可動片４３の間（隙間）に位置し、かつ、ベース片４２及び可動片４３によって一方向から挟まれる。
【００５３】
このため、開口２３３ａが円形である場合には、挟持構造４１が芯線６２を挟む力により、挿通孔２３３の内周面のうち下部２３３ｂに芯線６２が当たってしまい、電線６０の挿入に大きな力が必要となってしまう。なお、挿通孔２３３の内周面のうち上部に芯線６２が当たってしまい、電線６０の挿入に大きな力が必要となってしまう場合もある。
【００５４】
ここで、開口２３３ａの大きさを大きくすることで芯線６２が下部２３３ｂに当たることを抑制することが考えられる。しかしながら、開口２３３ａを単純に大きくしてしまうと、本体部２３１が大型化してしまう。本体部２３１が大型化すると、本体部２３１によって発光部２２が発する光が遮られてしまうのなどの別の課題が生じる。また、特に電線保持装置２３０が２種類以上の径の電線６０が挿入可能な仕様である場合、開口２３３ａの大きさを大きくし過ぎてしまうと、径が細い電線６０の芯線６２の挟持構造４１への差し込み位置がばらついてしまうという課題も生じる。
【００５５】
これに対し、上記図６に示されるように、電線保持装置３０においては、開口３３ａは、上記一方向に長い形状である。つまり、開口２３３ａの長手方向と、挟持構造４１による芯線６２の挟持方向は、いずれも上記一方向に沿っている。言い換えれば、開口３３ａの形状は、挟持構造４１の挟持によって芯線６２が移動しやすい方向に長い。したがって、図８Ａ〜図８Ｃに示されるように、芯線６２が挟持構造４１によって挟持されて電線６０が一方向に移動した場合に、芯線６２が挿通孔３３の内周面に当たることが抑制される。よって、電線６０の挿通孔３３への挿入に必要な力が抑制される。また、開口３３ａは、言い換えれば、クリアランスが必要な方向にのみ長い形状である。このため、本体部３１の大型化、及び、芯線６２の挟持構造４１への差し込み位置のばらつきを抑制しつつ、電線６０の挿入に必要な力を抑制することができる。
【００５６】
なお、本体部３１の外側の端部における開口３３ｂの形状は、特に限定されないが、上記図６に示されるように、電線保持装置３０においては、一方向に長い形状である。これにより、芯線６２が挟持構造４１によって挟持されて電線６０が一方向に移動した場合に、被覆部６１が挿通孔３３の内周面に当たることが抑制される。したがって、電線６０の挿通孔３３への挿入に必要な力が抑制される。
【００５７】
［効果等］
以上説明したように、電線保持装置３０は、内部に空間３２を有し、空間３２に通じる挿通孔３３が設けられた本体部３１と、空間３２に配置されて挿通孔３３に挿通された電線６０を挟持する挟持構造４１を有する端子部材４０とを備える。挿通孔３３の、本体部３１の内側の端部における開口３３ａの形状は、一方向に長い形状であり、挟持構造４１は、挿通孔３３に挿通された電線６０を一方向において挟持する。
【００５８】
これにより、芯線６２が挟持構造４１によって挟持されて電線６０が一方向に移動した場合に、芯線６２が挿通孔３３の内周面に当たることが抑制される。したがって、電線６０の挿通孔３３への挿入に必要な力が抑制される。
【００５９】
また、挿通孔３３の、本体部３１の外側の端部における開口３３ｂの形状は、一方向に長い形状であってもよい。
【００６０】
これにより、芯線６２が挟持構造４１によって挟持されて一方向に移動した場合に、被覆部６１が挿通孔３３の内周面に当たることが抑制される。したがって、電線６０の挿通孔３３への挿入に必要な力が抑制される。
【００６１】
また、挿通孔３３の外側の端部における開口３３ｂの面積は、挿通孔３３の内側の端部における開口３３ａの面積よりも大きくてもよい。
【００６２】
これにより、電線６０の挿入の作業性が向上される。
【００６３】
また、挿通孔３３の内側の端部における開口３３ａの形状は、一方向に長い長円形であってもよい。
【００６４】
これにより、芯線６２が挟持構造４１によって挟持されて電線６０が一方向に移動した場合に、芯線６２が挿通孔３３の内周面に当たることが抑制される。したがって、電線６０の挿通孔３３への挿入に必要な力が抑制される。
【００６５】
また、本体部３１は、基板２１上に電極２４及びＬＥＤチップ２３が配置された発光装置２０の基板２１を押さえる押さえ面３５ａを有し、挿通孔３３の孔軸５０は、押さえ面３５ａに平行な面と斜めに交差してもよい。ＬＥＤチップ２３は、発光素子の一例である。
【００６６】
これにより、電線６０の挿入の作業性が向上される。
【００６７】
また、端子部材４０は、電極２４を押圧する押圧片４５を有してもよい。
【００６８】
これにより、電線保持装置３０は、押圧片４５によって発光装置２０を載置面１３に固定するとともに、電線６０と発光装置２０とを電気的に接続することができる。
【００６９】
また、本体部３１には、本体部３１を基台１２に取り付けるためのねじ８０が挿通される貫通孔３４が設けられてもよい。
【００７０】
これにより、本体部３１をねじ８０によって載置面１３に固定することができる。
【００７１】
また、上記一方向は、挿通孔３３の孔軸５０に直交する方向であってもよい。
【００７２】
これにより、芯線６２が挟持構造４１によって挟持されて電線６０が挿通孔３３の孔軸５０に直交する方向に移動した場合に、芯線６２が挿通孔３３の内周面に当たることが抑制される。したがって、電線６０の挿通孔３３への挿入に必要な力が抑制される。
【００７３】
また、照明装置１０は、基台１２と、基板２１、並びに、基板２１上に配置された電極２４及びＬＥＤチップ２３を有する発光装置２０であって、基台１２に載置された発光装置２０と、電線保持装置３０とを備える。電線保持装置３０は、内部に空間３２を有し、空間３２に通じる挿通孔３３が設けられた本体部３１と、空間３２に配置されて挿通孔３３に挿通された電線６０を挟持する挟持構造４１、及び、電極２４を押圧することにより、発光装置２０を基台１２に押し当てる押圧片４５を有する端子部材４０とを備える。挿通孔３３の、本体部３１の内側の端部における開口３３ａの形状は、一方向に長い形状であり、挟持構造４１は、挿通孔３３に挿通された電線６０を一方向において挟持する。ＬＥＤチップ２３は、発光素子の一例である。
【００７４】
これにより、芯線６２が挟持構造４１によって挟持されて電線６０が一方向に移動した場合に、芯線６２が挿通孔３３の内周面に当たることが抑制される。したがって、電線６０の挿通孔３３への挿入に必要な力が抑制される。
【００７５】
（その他の実施の形態）
以上、実施の形態に係る電線保持装置及び照明装置について説明したが、本発明は、上記実施の形態に限定されるものではない。
【００７６】
例えば、上記実施の形態で説明された電線保持装置における、本体部の形状及び大きさ、並びに、端子部材の形状及び大きさは、一例である。本体部の形状及び大きさ、並びに、端子部材の形状及び大きさは、特に限定されない。
【００７７】
上記実施の形態では、照明装置は、２つの電線保持装置を備えたが、照明装置は、少なくとも１つの電線保持装置を備えればよい。照明装置が備える電線保持装置の数は、特に限定されない。また、電線保持装置の配置も特に限定されない。電線保持装置は、例えば、発光装置の角部に対応して配置されてもよい。
【００７８】
また、上記実施の形態では、ＣＯＢ構造の発光装置について説明したが、本発明は、ＳＭＤ（Ｓｕｒｆａｃｅ  Ｍｏｕｎｔ  Ｄｅｖｉｃｅ）構造の発光装置にも適用可能である。ＳＭＤ構造の発光装置は、例えば、凹部を有する樹脂製の容器と、凹部の中に実装されたＬＥＤチップと、凹部内に封入された封止部材（蛍光体含有樹脂）とを有するＳＭＤ型のＬＥＤ素子を発光素子として備える。
【００７９】
また、発光装置は、ＬＥＤチップに代えて、半導体レーザ等の半導体発光素子、有機ＥＬ（Ｅｌｅｃｔｒｏ  Ｌｕｍｉｎｅｓｃｅｎｃｅ）または無機ＥＬ等を発光素子として有してもよい。
【００８０】
その他、上記実施の形態及び変形例に対して当業者が思いつく各種変形を施して得られる形態、及び、本発明の趣旨を逸脱しない範囲で上記実施の形態及び変形例における構成要素及び機能を任意に組み合わせることで実現される形態も本発明に含まれる。
【符号の説明】
【００８１】
１０  照明装置
１２  基台
１３  載置面
２０  発光装置
２１  基板
２３  ＬＥＤチップ（発光素子）
２４  電極
３０、１３０  電線保持装置
３１、２３１  本体部
３２  空間
３３、２３３  挿通孔
３３ａ、３３ｂ  開口
３４  貫通孔
４０、１４０  端子部材
４１  挟持構造
４５  押圧片
５０  孔軸
６０  電線
８０  ねじ
【図１】
2018081889.tif 000003
【図２】
2018081889.tif 000004
【図３】
2018081889.tif 000005
【図４】
2018081889.tif 000006
【図５】
2018081889.tif 000007
【図６】
2018081889.tif 000008
【図７Ａ】
2018081889.tif 000009
【図７Ｂ】
2018081889.tif 000010
【図７Ｃ】
2018081889.tif 000011
【図８Ａ】
2018081889.tif 000012
【図８Ｂ】
2018081889.tif 000013
【図８Ｃ】
2018081889.tif 000014